(57)【特許請求の範囲】
【請求項１】
弾性部材の周壁に凹状の切り込みあるいは溝（２）を設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定することを特徴とする物品の固定方法。
【請求項２】
該凹状の切り込みあるいは溝（２）を該周壁に複数設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定することを特徴とする請求項１記載の物品の固定方法。
【請求項３】
該凹状の切り込みあるいは溝（２）を該周壁に沿って略均等に配列してなる形態であることを特徴とする請求項１あるいは２記載の物品の固定方法。
【請求項４】
該凹状の切り込みあるいは溝（２）がＵ字状あるいはコの字を時計回りに略９０度回転した形態であることを特徴とする請求項１〜３記載の物品の固定方法。
【発明の詳細な説明】
【技術分野】
【０００１】
本発明は物品の固定方法に係わる。
【背景技術】
【０００２】
過去に該当するもしくは類する技術はありませんでした。
【特許文献１】特開２００５−１０２８８５号
【特許文献２】特開２０００−１２５９６３号
【発明の開示】
【発明が解決しようとする課題】
【０００３】
物品が椅子などの支持脚の下端部にはめ込むキャップ状の支持脚固定部品の場合、その内側の直径が椅子などの支持脚の下端部の直径より若干大きめにゆるく勘合して製造販売されている。そのため、椅子などを移動するあるいは上下動すると椅子などの支持脚の下端部にはめ込まれているキャップ状の支持脚固定部品がずり落ちることが少なからずあった。反対に勘合がきついとキャップ状の支持脚固定部品を椅子などの支持脚の下端部にはめ込みにくいあるいは抜き出しにくいという短所があった。
【０００４】
それを防止するために椅子などの支持脚の下端部にテープを巻きつけてキャップ状の支持脚固定部品をはめ込んで使用したとしても特に椅子の場合は座った人が前後左右に動くため、キャップ状の支持脚固定部品がずり落ちてしまい、椅子の支持脚の下端部に巻きつけたテープなどもずれてきて巻きつけた初期の形態を維持できずずり下がってしまうという短所があった。
【課題を解決するための手段】
【０００５】
弾性部材の周壁に凹状の切り込みあるいは溝（２）を設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定することを特徴とする。
【０００６】
該凹状の切り込みあるいは溝（２）を該周壁に複数設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定することを特徴とする。
【０００７】
該凹状の切り込みあるいは溝（２）を該周壁に沿って略均等に配列してなる形態であることを特徴とする。
【０００８】
該凹状の切り込みあるいは溝（２）がＵ字状あるいはコの字を時計回りに略９０度回転した形態であることを特徴とする。
【発明の効果】
【０００９】
弾性部材の周壁に凹状の切り込みあるいは溝（２）を設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定することにより、前記物品が支持脚固定部品の場合、支持脚固定部品（１）の円あるいは略四角形の該周壁に該凹状の切り込みあるいは溝（２）の下端部を内側に巻き込んで上方にめくり上げ、前記めくり上げた該凹状の切り込みあるいは溝（２）の下端部が元に戻ろうとする反発力で椅子（４）などの支持脚（３）の下端部を挟持し固定する。
【００１０】
これにより、支持脚固定部品（１）の内側の直径が椅子（４）などの支持脚（３）の下端部の直径より若干大きかったとしても支持脚固定部品（１）を椅子（４）などの支持脚（３）の下端部にしっかりはめ込み挟持し固定することができ、椅子（４）などを移動するあるいは上下動するときに支持脚固定部品（１）が椅子（４）などの支持脚（３）の下端部から外れないという効果がある。
【００１１】
該凹状の切り込みあるいは溝（２）を該周壁に複数設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定することにより、前記物品が支持脚固定部品の場合、支持脚固定部品（１）の内側の直径が椅子（４）などの支持脚（３）の下端部の直径より若干大きかったとしても椅子（４）などの支持脚（３）の上部の円周の中心と支持脚固定部品（１）の中心を略一致させて支持脚固定部品（１）を椅子（４）などの支持脚（３）の下端部にはめ込み挟持し固定することができることから安定感が増す。
【００１２】
該凹状の切り込みあるいは溝（２）を該周壁に沿って略均等に配列してなる形態であることにより、前記物品が支持脚固定部品の場合、より前記安定感が増す。
【００１３】
該凹状の切り込みあるいは溝（２）がＵ字状あるいはコの字を時計回りに略９０度回転した形態であることにより、前記物品が支持脚固定部品の場合、より幅広く支持脚固定部品（１）を椅子（４）などの支持脚（３）の下端部にはめ込み挟持し固定することができる。
【発明を実施するための最良の形態】
【００１４】
発明を実施するための形態を実施例に基づき図面を参照して説明する。
本実施例においては椅子の支持脚固定部品に係わる。
図１〜図４に示すようにゴムなどの弾性を有するキャップ状の支持脚固定部品１の周壁に該周壁の上部を残してＵ字状あるいはコの字を時計回りに略９０度回転した形態の単数あるいは複数の凹状の切り込みあるいは溝２を設ける。前記溝の薄い部分は手指で押して破断する程度の薄さにすればよい。
【００１５】
図１に示す該支持脚固定部品１を椅子４の支持脚３の下端部にはめ込む。そして椅子４の支持脚３の下端部において図２に示すように該凹状の切り込みあるいは溝２の下端部を内側に巻き込んで上方にめくり上げ、椅子４の支持脚３の下端部を前記めくり上げた該凹状の切り込みあるいは溝２の下端部で挟持し固定する。このとき、ゴムなどの弾性により凹状の切り込みあるいは溝２の下端部が元に戻ろうとする反発力で図３、図４に示すように支持脚固定部品１において椅子４の支持脚３の下端部にはめ込み挟持し固定する形態を維持することができる。
【００１６】
そこで凹状の切り込みあるいは溝２を円周に沿って略均等に３ヶ所設けると椅子４の支持脚３の上部の円周の中心と支持脚固定部品１の中心を略一致させることができることから安定する。また、凹状の切り込みあるいは溝２を円周に沿って略均等に４ヶ所設けたとしても同様の良好な効果を得ることができる。
【産業上の利用可能性】
【００１７】
本発明は家具販売に市場性があり、拡販が期待できる。
【図面の簡単な説明】
【００１８】
【図１】凹状の切り込みあるいは溝を設けた支持脚固定部品の外観図
【図２】凹状の切り込みあるいは溝を設けた支持脚固定部品の凹状の切り込みあるいは溝の下端部を内側に巻き込んで上方にめくり上げるときの断面図
【図３】凹状の切り込みあるいは溝を設けた支持脚固定部品を椅子の支持脚の下端部にはめ込み挟持し固定したときの外観図
【図４】凹状の切り込みあるいは溝を設けた支持脚固定部品を椅子の支持脚の下端部にはめ込み挟持し固定したときの断面図
【符号の説明】
【００１９】
１  支持脚固定部品
２  凹状の切り込みあるいは溝
３  支持脚
４  椅子
【要約】
【課題】
物品が椅子などの支持脚の下端部にはめ込むキャップ状の支持脚固定部品の場合、その内側の直径が椅子などの支持脚の下端部の直径より若干大きめに勘合をゆるくして製造販売されている。そのため、椅子などを移動するあるいは上下動すると椅子などの支持脚の下端部にはめ込まれているキャップ状の支持脚固定部品がずり落ちることが少なからずあった。反対に勘合がきついとキャップ状の支持脚固定部品を椅子などの支持脚の下端部にはめ込みにくいあるいは抜き出しにくいという短所があった。
【解決手段】
弾性部材の周壁に凹状の切り込みあるいは溝（２）を設け、該周壁に設けた該凹状の切り込みあるいは溝（２）の下端部を内側に巻き込んで上方にめくり上げ、前記めくり上げた該凹状の切り込みあるいは溝（２）の下端部が元に戻ろうとする反発力で物品を挟持し固定する構成。
【選択図】      図１【図１】
0004087892.tif 000002
【図２】
0004087892.tif 000003
【図３】
0004087892.tif 000004
【図４】
0004087892.tif 000005